(57)【要約】【課題】新古品を市場に効率よく流通することができる委託在庫システム及び委託在庫方法の提供。【解決手段】委託在庫を行う資材の商品コードと新品と新古品単価を格納する商品データベース（ＤＢ）１１１と、顧客毎の積立及び償却ポイントを格納するポイントＤＢ１１６とを用い、商品ＤＢ１１１に格納した資材が新品単価で販売された場合、この新品の購入額に応じたポイントをポイントＤＢ１１６の積立ポイントに加え、前記商品ＤＢ１１１に格納した資材が新古品として委託された場合、該新古品の価格に応じたポイントをポイントＤＢ１１６の積立ポイントに加え、商品ＤＢ１１１に格納した資材が新古品販売として指定された場合、該新古品の提供に応じたポイントを計数し、該計数した新古品提供ポイントがポイントＤＢ１１６により蓄積したポイントの範囲内のとき、新古品資材の販売を指示する委託在庫システム。【選択図】  図１
2005018145.tif 000002
【特許請求の範囲】
【請求項１】
公衆通信回線網２１を介して商品授受の委託を管理する委託在庫システムであって、委託在庫を行う資材の商品コードと新品単価と新古品単価の情報を格納する商品データベースと、顧客コードに対応した積立ポイント及び償却ポイントの情報を格納するポイントデータベースと、前記データベースをアクセスして制御するサーバとを備え、該サーバが、
前記商品データベースに格納した資材が新品単価で販売された場合、該新品単価と販売数量の乗算値に所定の新品購入ポイント率を乗算した値をポイントとして前記ポイントデータベースの積立ポイントに加算し、
前記商品データベースに格納した資材が新古品として委託された場合、該新古品の新品単価と委託数量の乗算値に所定の新古品委託ポイント率を乗算した値をポイントとして前記ポイントデータベースの積立ポイントに加算し、
商品データベースに格納した資材が新古品販売として指定された場合、該新古品単価と提供数量の乗算値に所定の新古品提供ポイント率を乗算した値をポイントとして計数し、該計数した新古品提供ポイントが前記ポイントデータベースの積立ポイントから償却ポイントを除算した値を越えないとき、前記新古品提供ポイントを償却ポイントに加算すると共に、前記新古品資材の販売を指示することを特徴とする委託在庫システム。
【請求項２】
前記商品コードに対応した商品名及び該商品名に対応した俗称名の情報を格納する俗称データベースを備え、前記サーバが、俗称により商品検索が指示されたとき、該俗称をキーとして俗称データベースを検索し、ヒットした俗称に対応する商品コードをキーとして商品データベースを検索することを特徴とする請求項１記載の委託在庫システム。
【請求項３】
前記商品データベースが資材の仕様を含み、サーバが商品データベースを検索した結果、指定された製造元又は型番の資材在庫が指定された数量に満たない場合、前記商品データベースを指定された資材の前記仕様をキーとして同一又は類似仕様の資材の商品コードを検索し、ヒットした資材を候補として表示することを特徴とする請求項１又は２記載の委託在庫システム。
【請求項４】
公衆通信回線網２１を介して商品授受の委託を管理する委託在庫方法であって、委託在庫を行う資材の商品コードと新品単価と新古品単価の情報を格納する商品データベースと、顧客コードに対応した積立ポイント及び償却ポイントの情報を格納するポイントデータベースとを用意し、
前記商品データベースに格納した資材が新品単価で販売された場合、該新品単価と販売数量の乗算値に所定の新品購入ポイント率を乗算した値をポイントとして前記ポイントデータベースの積立ポイントに加算する第１ステップと、
前記商品データベースに格納した資材が新古品として委託された場合、該新古品単価と委託数量の乗算値に所定の新古品委託ポイント率を乗算した値をポイントとして前記ポイントデータベースの積立ポイントに加算する第２ステップと、
商品データベースに格納した資材が新古品販売として指定された場合、該新古品単価と提供数量の乗算値に所定の新古品提供ポイント率を乗算した値をポイントとして計数し、該計数した新古品提供ポイントが前記ポイントデータベースの積立ポイントから償却ポイントを除算した値を越えないとき、前記新古品提供ポイントを償却ポイントに加算すると共に、前記新古品資材の販売を指示する第３ステップとを含むことを特徴とする委託在庫方法。
【請求項５】
前記商品コードに対応した商品名及び該商品名に対応した俗称名の情報を格納する俗称データベースを用意し、前記第１ステップが、俗称により商品検索が指示されたとき、該俗称をキーとして俗称データベースを検索し、ヒットした俗称に対応する商品コードをキーとして商品データベースを検索する第４ステップを含むことを特徴とする請求項４記載の委託在庫方法。
【請求項６】
前記商品データベースが資材の仕様を含み、サーバが商品データベースを検索した結果、指定された製造元又は型番の資材在庫が指定された数量に満たない場合、前記商品データベースを指定された資材の前記仕様をキーとして同一又は類似仕様の資材の商品コードを検索し、ヒットした資材を候補として表示する第５ステップを含むことを特徴とする請求項４又は５記載の委託在庫方法。
【発明の詳細な説明】
【０００１】
【発明の属する技術分野】
本発明は、新古品等の商品の委託在庫を行う委託在庫システム及び委託在庫方法に係り、特にセット販売される商品の余剰品の流通を促すことができる委託在庫システム及び委託在庫方法に関する。
【０００２】
【従来の技術】
一般にビルや家屋等の建築を行う建設現場に使用される配管／電気設備の部品等の資材は、最小販売単位、例えば１０個単位、３０個単位、１００個単位で販売されることが多い。例えば電気設備における端子、ヒューズ、ネジ類、配管設備におけるコネクター、カップリング、ジョイントナット等の資材は、小部品であることから箱単位で市場に流通しており、前述の最小販売単位で販売されている。
【０００３】
このため建設現場（工事業者）においては、予め余裕をもった必要な数量以上の資材を発注し、資材が余った際には、未使用であっても、その余剰資材の保管等の管理が煩雑になるため、廃棄処理を行っていた。例えば、圧着端子が建築工事仕様では８０個必要な場合であっても、最小販売単位の１００個を購入し、余剰の２０個は廃棄処理されているのが実状である。
【０００４】
これら建築現場において流通している資材は、品目としては約１０００品目であり、各々の品目毎に型式、サイズ等の仕様が存在するため、実際には約１００００品目あり、市場規模としては年間約２０億円と推定されるが、この内の廃棄処理される資材は約１憶から２億円と推定される。
【０００５】
他方、部品の再利用に関する技術が記載された文献としては例えば特開２０００２−１９７２８４号公報や特開２００１−３５０９４８号公報が挙げられる。尚、前記特開２００１−３５０９４８号公報には、家電品やＯＡ機器等の中古製品の再利用を行うため、品目名／メーカ名／価格／製品の評価情報、インターネット上のホームページに掲載し、利用者が前記品目名等をキーとして希望する中古製品を検索する再利用システムが提案されているものの、中古製品を再利用システムに取り込むための手法／中古製品の使用を利用者に促すための手法／利用者が再利用システムを使用するときに品目名等が不明の場合の検索手法が考慮されていないものであった。
【０００６】
【発明が解決しようとする課題】
前記従来技術による建設現場におけ資材は、未使用の資材（新古品と呼ぶ）を余剰として廃棄するために資源を効率的に利用することができないと言う不具合があり、このために建設現場のコストアップも招いていると言う不具合があった。尚、本明細書では建設現場におけ資材を例にとって説明するが、これに限定されるものではない。
【０００７】
本発明の目的は、前述の従来技術による不具合を除去することであり、新古品を市場に効率よく流通することができる委託在庫システム及び委託在庫方法を提供することである。
【０００８】
【課題を解決するための手段】
前記目的を達成するために本発明は、公衆通信回線網２１を介して商品授受の委託を管理する委託在庫システムであって、委託在庫を行う資材の商品コードと新品単価と新古品単価の情報を格納する商品データベースと、顧客コードに対応した積立ポイント及び償却ポイントの情報を格納するポイントデータベースと、前記データベースをアクセスして制御するサーバとを備え、該サーバが、前記商品データベースに格納した資材が新品単価で販売された場合、該新品単価と販売数量の乗算値に所定の新品購入ポイント率を乗算した値をポイントとして前記ポイントデータベースの積立ポイントに加算し、前記商品データベースに格納した資材が新古品として委託された場合、該新古品単価と委託数量の乗算値に所定の新古品委託ポイント率を乗算した値をポイントとして前記ポイントデータベースの積立ポイントに加算し、商品データベースに格納した資材が新古品販売として指定された場合、該新古品単価と提供数量の乗算値に所定の新古品提供ポイント率を乗算した値をポイントとして計数し、該計数した新古品提供ポイントが前記ポイントデータベースの積立ポイントから償却ポイントを除算した値を越えないとき、前記新古品提供ポイントを償却ポイントに加算すると共に、前記新古品資材の販売を指示することを第１の特徴とする。
【０００９】
また本発明は、前記委託在庫システムにおいて、前記商品コードに対応した商品名及び該商品名に対応した俗称名の情報を格納する俗称データベースを備え、前記サーバが、俗称により商品検索が指示されたとき、該俗称をキーとして俗称データベースを検索し、ヒットした俗称に対応する商品コードをキーとして商品データベースを検索することを第２の特徴とし、前記何れかの委託在庫システムにおいて、前記商品データベースが資材の仕様を含み、サーバが商品データベースを検索した結果、指定された製造元又は型番の資材在庫が指定された数量に満たない場合、前記商品データベースを指定された資材の前記仕様をキーとして同一又は類似仕様の資材の商品コードを検索し、ヒットした資材を候補として表示することを第３の特徴とする。
【００１０】
更に本発明は、公衆通信回線網２１を介して商品授受の委託を管理する委託在庫方法において、委託在庫を行う資材の商品コードと新品単価と新古品単価の情報を格納する商品データベースと、顧客コードに対応した積立ポイント及び償却ポイントの情報を格納するポイントデータベースとを用意し、前記商品データベースに格納した資材が新品単価で販売された場合、該新品単価と販売数量の乗算値に所定の新品購入ポイント率を乗算した値をポイントとして前記ポイントデータベースの積立ポイントに加算する第１ステップと、前記商品データベースに格納した資材が新古品として委託された場合、該新古品単価と委託数量の乗算値に所定の新古品委託ポイント率を乗算した値をポイントとして前記ポイントデータベースの積立ポイントに加算する第２ステップと、商品データベースに格納した資材が新古品販売として指定された場合、該新古品単価と提供数量の乗算値に所定の新古品提供ポイント率を乗算した値をポイントとして計数し、該計数した新古品提供ポイントが前記ポイントデータベースの積立ポイントから償却ポイントを除算した値を越えないとき、前記新古品提供ポイントを償却ポイントに加算すると共に、前記新古品資材の販売を指示する第３ステップとを含むことを第４の特徴とする。
【００１１】
更に本発明は、前記委託在庫方法において、前記商品コードに対応した商品名及び該商品名に対応した俗称名の情報を格納する俗称データベースを用意し、前記第１ステップが、俗称により商品検索が指示されたとき、該俗称をキーとして俗称データベースを検索し、ヒットした俗称に対応する商品コードをキーとして商品データベースを検索する第４ステップを含むことを第５の特徴とし、前記何れかの委託在庫方法において、前記商品データベースが資材の仕様を含み、サーバが商品データベースを検索した結果、指定された製造元又は型番の資材在庫が指定された数量に満たない場合、前記商品データベースを指定された資材の前記仕様をキーとして同一又は類似仕様の資材の商品コードを検索し、ヒットした資材を候補として表示する第５ステップを含むことを第６の特徴とする。
【００１２】
【発明の実施の形態】
以下、本発明の一実施形態による委託在庫システム及び委託在庫方法を図面を参照して詳細に説明する。図１は本発明による委託在庫システム及び委託在庫方法の原理を説明するための図、図２は本発明の一実施形態による委託在庫システムの具体的システム構成を説明するための図、図３は本実施形態による商品データベースを説明するための図、図４は本実施形態による俗称データベースを説明するための図、図５は本実施形態によるメーカデータベースを説明するための図、図６は本実施形態による第１の顧客データベースを説明するための図、図７は本実施形態による第２の顧客データベースを説明するための図、図８は本実施形態によるポイントデータベースを説明するための図、図９は建築現場における資材の名称及び俗称の例を示す図、図１０は建築現場における資材の分類を説明するための図、図１１は本実施形態による委託在庫システムへのアクセス手順を説明するための図、図１２は本委託在庫システムにおける新品購入〜新古品購入の全体プロセスを説明するための図である。
【００１３】
＜原理説明＞
まず、本発明による委託在庫システム及び委託在庫方法の原理を図１を参照して説明する。まず、前提として建築現場で使用される資材が、例えば製造元１により部品２が１０個単位でセット箱３に収納されて販売され、現場４では、必要な部品数が６個であるにもかかわらず、セット販売のために前記１０個の部品２を購入するものとする。
【００１４】
ここで従来においては４個の余剰の部品２ａが発生した場合、該余剰品は廃棄されるものであったが、本発明においては委託在庫システム１００を設け、該委託在庫システム１００が前記余剰部品２ａを一時的に預かる共に、この保管の代わりに余剰部品２ａの価格に応じて設定したポイント６を現場４の業者に付与する。
【００１５】
次いで他の現場５において前記余剰部品２ａが必要になった場合、現場５の業者が委託在庫システム１００から該余剰部品２ａをポイント６を所有することを購買条件に購入する。尚、前記現場５の業者が保有するポイント６は、以前に当該業者が余剰部品を預けた際に入手したポイント又は新品を委託在庫システム１００から購入した際に入手したポイントである。
【００１６】
前記ポイントは、資材（部品）毎に設定され、例えば新品購入の際には新品購入価格の１％（本明細書に置いては新品購入ポイント率と呼ぶ）のポイントを購入業者に付与し、余剰資材を委託在庫システムに委託した際には新品販売価格の１００％（本明細書に置いては新古品委託ポイント率と呼ぶ）のポイントを提供業者に付与し、これらポイントは業者が新古品を購入する際の購入権利として使用される。例えば、単価＠￥２５０の新品資材を１０００個購入した際に付与するポイントを２５００ポイント（＠￥２５０×１０００個×１％）とし、例えば３９０個の余剰資材を委託した際に付与するポイントを９７，５００ポイント（＠￥２５０×３９０個×１００％）とする様に設定し、前記業者は、付与された合計１０００００ポイントを新古品を購入可能なポイントを入手することができる。尚、本明細書では業者が新古品の提供（購入）を受ける際のポイント率を新古品提供ポイント率と呼び、詳細は後述する。
【００１７】
この様に本発明においては、委託在庫システム１００が、余剰部品をポイント付与して預かると共に、該ポイントを業者の新古品購入権利として設定し、業者が前記ポイントの付与及び提供を行う流通形態を採用することによって、新古品を市場に効率よく流通することができる。
【００１８】
＜具体的構成の説明＞
＜システム全体構成＞
前記本発明による委託在庫方法を実現する委託在庫システムは、図２に示す如く、複数の現場業者２０ａ〜２０ｃとインターネット等の公衆通信回線網２１を介して接続され、商品データベース１１１／俗称データベース１１２／メーカデータベース１１３／第１の顧客データベース１１４／第２の顧客データベース１１５／ポイントデータベース１１６と、これらデータベース１１１〜１１６を管理する管理サーバ１１０と、実際の資材を保管管理する倉庫（図示せず）により構成される。
【００１９】
＜各データベースの説明＞
（Ａ）前記商品データベース１１１：
前記商品データベース１１１は、複数の資材（部品＝商品）に関するデータを格納するものであって、例えば図３に示す如く、資材の製造元毎に付与されたメーカコード３１／製造元における資材毎の商品コード３２／その型番３３／サイズ３４／新品単価３５／新古単価３６の各項目を１レコードとし、資材の数の多数のレコードを格納し、商品コード３２や型番３３他の項目をキーとして商品に関するデータを検索可能に構成している。
【００２０】
前記資材（部品＝商品）は、一般に大分類／中分類／細分類に分けられ、且つ商品毎にサイズ等の仕様の違いによって更に細かく細分されるものである。例えば図１０に示す如く、大分類９１が「パイプ」には中分類９２として「薄鋼パイプ」／「厚鋼パイプ」／「ビニールパイプ」／「ランニングパイプ」に分類され、更に各パイプは小分類９３として「パイプ本体」と該「パイプ付属品」に分けられ、該「パイプ付属品」の細分類９４としては、例えば「カップリング」／「ノーマルベルト」／「ロックナット」／「ポリッシング」／「絶縁ブッシング」／「サドル」他が有り、これらもサイズ等の仕様の違いによって更に細かく商品９６毎に細分される。尚。図中の「ＵＰ０１」等の符号は各資材に付与された型番である。
【００２１】
（Ｂ）俗称データベース１１２：
前記俗称データベース１１２は、資材の正式名称と、該正式名称に対応する俗称との関係を格納するものであって、図４に示す如く、商品コード３２対応に正式名称４２／俗称４３〜４５の各欄を１レコードとし、正式名称又は俗称を元に商品コード３２を検索可能に構成されている。本システムが俗称データベース１１２を含む理由は、一般に建築現場の本システムを使用する利用者は工事現場の作業者であることが多く、該作業者が資材の俗称を使用する傾向があり、この俗称を用いても資材を検索可能にするためである。
【００２２】
前記俗称としては、例えば図９（ａ）に示す如く、大分類に属する商品の場合、「化粧計器箱」が「ワットメーターボックス」、「プラ台」が「プラ板」、「メーター板」が「木板」の如く俗称され、図９（ｂ）の如く中分類に属する商品の場合、「フィッシャー」が「エビ」、「ポリッシング」が「ユピロン」、「Ｄ・Ｋ式」が「カメノコ」の如く俗称され、前記俗称データベース１１２は前記正式名称と該正式名称に対応する複数の俗称との関係を格納している。これら俗称は、製造元／建設会社／地域等によって異なることがあり、図４の各レコードの俗称毎に、後の検索条件となる前記製造元／建設会社／地域等の項目を検索条件として加えても良い。
【００２３】
前記メーカデータベース１１３は、資材の製造元に関する情報を格納するものであって、図５に示す如く、製造元毎に付与されたメーカコード３１／メーカ名５２／その住所５３／電話番号５４／ファクシミリ番号５５／担当者名５６の各欄を１レコードとし、複数の製造元の会社情報を格納している。
【００２４】
（Ｃ）顧客データベース１１４及び１１５：
前記第１の顧客データベース１１４は、建築業者の会社情報等を格納するものであって、例えば図６に示す如く、顧客毎にユニークにシステムが付与した顧客ＩＤ６１／顧客パスワード６２／顧客コード６３／顧客名６４／住所６５／電話番号６６／ファクシミリ番号６７／請求及び支払いの締め日６８／支払日６９／現金や手形等の区分を示す支払区分７０の各欄を１レコードとし、複数の顧客の主な情報を格納している。
【００２５】
前記第２の顧客データベース１１５は、建築業者の建築現場等の付随的な情報を格納するものであって、例えば図７に示す如く、顧客コード６３対応に、その顧客（建築業者）が受け持つ現場の現場コード７１／現場名７２／現場の住所７３／電話番号７４／担当者７７各欄を１レコードとし、例えば顧客コード６３及び現場名７２を元に現場の住所等を検索し、資材の発送先を検索可能としている。
【００２６】
（Ｄ）ポイントデータベース１１６：
前記ポイントデータベース１１６は、顧客の新製品の購入或いは新古品の提供並びに新古品購入の際に取り扱われるポイントを格納するものであって、図８に示す如く、顧客コード６３対応に積立ポイント８２（新品購入又は新古品委託により付与されたポイント）及び償却ポイント８３（新古品購入に使用するために提供［返却］したポイント）を格納している。
【００２７】
＜動作説明＞
＜新品購入時＞
さて、この様に構成された委託在庫方法及び委託在庫システムにより新品購入時の処理手順は、図２に示す業者２０ａが新品の資材を購入する際、前記業者２０ａが公衆通信回線網２１２１を介して委託在庫システム１００にアクセスし、顧客データベース１１４に格納された顧客ＩＤ６１及び顧客パスワード６２を入力する第１工程と、該第１工程によりアクセスが許容されたときに、商品データベース１１１を参照して購入する商品の検索及び購入を行う第２工程と、前記検索及び購入した資材の配送先指定を顧客データベース１１５を参照して行う第３工程と、前記新品の資材の購入によって発生するポイントを商品データベース１１１を参照して得、ポイントデータベース１１６に登録する第４工程とに大別される。
【００２８】
前記第２工程による商品の検索は、▲１▼予め資材の型番が指定された場合は当該型番３３（図３）をキーとした検索、▲２▼正式名称が指定された場合は当該正式名称４２（図４）をキーとして商品コード３２を検索し、この商品コード３２を用いて商品データベース１１１をサーチする検索、▲３▼資材の俗称が指定された場合は当該俗称４３〜４５（図４）をキー（必要なら製造元／建設会社／地域等の項目をアンド条件のキーをアンド条件として含む）として商品コード３２を検索し、この商品コード３２を用いて商品データベース１１１をサーチする検索、▲４▼図１０に示した大分類から再分類に徐々に条件を絞って商品９６の一覧リストを表示させ、該一覧から商品を指定する検索、▲５▼メーカ名が指定された場合は当該メーカ名５２（図５）をキーとしてメーカコード３１を検索し、このメーカコード３１を用いて商品データベース１１１をサーチする検索を行うプログラムを管理サーバ１１０が格納し、このプログラムを管理サーバ１１０が操作者の選択に応じて実行することによって実現している。
【００２９】
また前記第４工程によるポイントの加算は、管理サーバ１１０が商品データベース１１１の選択された商品コード３２に対応する新品単価と注文数量とを演算し、予め定めた新品購入ポイント率に従って新品購入時のポイントに変換し、このポイントをポイントデータベース１１６（図８）の顧客コード６３対応の積立ポイント８２に加算することにより実行される。
【００３０】
＜新古品委託時＞
次いで業者が余剰資材を委託在庫システム１００に委託する際の処理手順は、、例えばその業者が前記実施形態同様に委託在庫システム１００にアクセスし、顧客ＩＤ６１及び顧客パスワード６２を入力する第５工程と、該第５工程によりアクセスが許容されたときに、資材及び数量を指定して余剰資材の委託を申し込む第６工程と、その資材の引き取り先等の情報を顧客データベース１１５を参照して検索し且つ登録する第７工程と、前記第６工程により入力された資材及び数量を元に商品データベース１１１を参照してポイントを演算する第８工程と、前記余剰資材委託の取引が成立したときに前記演算したポイントを当該余剰資材を委託した業者のポイントデータベース１１６に加算する第９工程と、実際の資材を倉庫に引き取るための第１０工程とに大別される。
【００３１】
前記第６工程における余剰資材の入力は、前記実施形態の第２工程における検索手法と同様に行うことができ、更に前記第７工程における引き取り先等の情報を顧客データベース１１５を参照して検索して引き取り先等の情報の登録は、データベースを参照せずに直接入力しても良く、または引き取り先の入力を行わず業者が郵便／宅配便として発送しても良い。
【００３２】
＜新古品購入時＞
さて、前述の様にある業者が新品購入又は新古品販売により得たポイントを基に本システム１００から新古品を購入する際の処理手順を図１１を参照して説明する。
【００３３】
この処理手順は、例えば業者が本システム１００に前記実施形態同様にアクセスし、顧客ＩＤ６１及び顧客パスワード６２を入力して認証を行うステップ１１１と、この認定後に資材及び数量を指定して新古品の購入申し込みの際の商品検索種別を入力するステップ１１２と、該ステップ１１２により指定された商品分類から絞り込み検索を行うステップ１１３／商品の型名を直接入力して検索を行うステップ１１４／商品の正式名称又は俗称から検索を行うステップ１１５と、商品データベースから商品コードを抽出するステップ１１６と、前記ステップ１１３／１１４／１１５により検索された新古品の在庫数量及びポイント数（及び価格／個）を表示して業者の選択を促すステップ１１７と、該ステップ１１７により表示された商品／数量／納期／納入先の指定を行うステップ１１８と、該ステップ１１８により選択した商品等の注文を確定するためのステップ１１９と、該ステップ１１９により確定した注文情報を基に当該業者が蓄積したポイントから当該新古品を購入したポイントを減算するステップ２００（既に償却ポイントがある際には、積立ポイント８２から償却ポイント８３及び新古品購入ポイントを減算）と、該ステップ２００において、例えば減算値がマイナスか否かの判定を行うステップ２０１と、該ステップ２０１において取引が承認された際に新古品の商品の発注乃至発送処理等を指示するステップ２０２とを順次実行することによって行われる。尚、前記ステップ２００乃至２０１におけるポイント残値の確認は、例えばステップ１１８において確定前に操作者に表示する様に構成しても良く、また前記ステップ２００においてポイント残値が足りない場合は、不足分を新品の購入に振り分けることもできる。
【００３４】
また一般に建築現場においては、建築物が倉庫や設備機器の建家や建築後には一般の人の目に触れにくいバックヤードの場合、業者が指定した特定メーカの特定の型番の商品でなくとも、その商品の規格が合致すれば製造元／外観色／詳細構造を問わないこともある、このため本実施形態による委託在庫システム及び委託在庫方法は、例えば業者が特定の製造元の特定の型番等を指定して前記ステップ１１２〜１１５による商品コードを検索する工程において、商品データベース１１１に各製品の仕様（サイズ／規格等）を格納しておき、指定した商品の在庫がない場合、指定された商品と同規格の他商品を検索し、業者に提示することもできる。これによって業者は、希望商品そのものの在庫がない又は不足する場合であっても、同仕様の商品（新古品）を入手することができ、新古品の流通を更に図ることができる。
【００３５】
この場合の処理手順は、図１１の商品分類から絞り込み検索を行うステップ１１３と商品の型名を直接入力して検索を行うステップ１１４と商品の正式名称又は俗称から検索を行うステップ１１５において、業者が希望する製造元の該当商品の在庫がない場合又は不足する場合、サーバ１１０が、業者指定商品の仕様を商品データベース１１１から検索し、希望商品そのものの在庫がない又は不足する場合、前記仕様をキーとして商品データベース１１１を検索し、希望と異なる製造元であることを併記して同一仕様の商品コードをステップ１１７において業者に表示し、選択を業者に促すことによって実現することができる。
【００３６】
＜資材／ポイント／金銭の流通形態の全体説明＞
次に前述の処理手順における資材／ポイント／金銭の全体的な流れについて次に図１２を参照して説明する。
本システムにおいて、例えば業者が○△電工４００である例をとって説明すると、まず○△電工４００が前述の手順同様に委託在庫システム１００に新品の資材（単価￥２５０，１０００個）の発注を行った場合、本委託在庫システム１００は、当該注文が有った資材を○△電工４００に納入３０１を行うと共に、当該新品購入に対してポイントの付与３０２を行う。このポイントは、単価及び数量を乗算した値の１％である２５００ポイントである。これにより○△電工４００が代金の支払い３０３を行うことによって取引が成立し、且つ○△電工４００には２５００ポイントが付与される。これが新品購入工程４０１であり、この工程を設けた理由は、本委託在庫システム１００に始めて参加する業者にポイントを付与して本システムによる新古品流通システムへの参加を促すためである。
【００３７】
次いで本システムにおいて、前記○△電工４００が、前記購入した資材の内、４００個が余剰品として余り、○△電工４００が委託在庫システム１００に前記余剰品の連絡３０４を行い、この余剰品を委託在庫システム１００が査定して３９０個を新古品として委託受けする場合、該委託在庫システム１００が、当該査定の結果の報告３０５を行い、その余剰品を○△電工４００が委託在庫システム１００に預け３０６を行うことにより、該システム１００から前記余剰品の新品価格に相当する９７，５００ポイント（＠￥２５０×３９０個）を○△電工４００に付与する。これが余剰品預かり工程４０２であり、上記工程４０１及び４０２によって○△電工が合計１０万ポイントを取得したことになる。
【００３８】
次いで、前記○△電工４００が、ある新古品の購入を行う場合、本システムは、○△電工４００がログイン認証等のステップを経て分類検索又商品型名検索又は商品名称及び俗称検索を行って必要な資材の新古品の発注３０８を行う。この発注は、例えば新品価格が＠￥１５０の資材を新古品のため＠￥７５とし、２０個発注したものとする。
【００３９】
前記発注３０８により委託在庫システム１００が新古品の納入３０９を行うと、○△電工４００が、その代金の支払い３１０を行うと共に前記新古品の購入の権利を行使したポイント３０００（倉庫預かり手数料＋新古品購入権利償却分＝１５００＋１５００）をシステム１００に返却する。尚、前記新古品購入権利償却分は、業者の当該新古品購入価格と同数のポイントとし、倉庫預かり手数料は、該新古品購入権利償却分と同数としているが、これに限られるものではない。
【００４０】
この様に本実施形態による委託在庫システムは、前記新品購入工程４０１により業者へポイントを付与し、余剰品提供工程４０２により業者から余剰の新古品を預かり、且つ業者へポイントを付与し、更に前記新古品購入工程４０３により業者がポイントを権利として新古品を購入する流通形態を採用することによって、新古品の預かり並びに供給を推進することができる。
【００４１】
＜まとめ＞
以上述べた如く本実施形態による委託在庫システム及び委託在庫方法は、例えば建築現場等で発生した余剰の新古品を業者からポイントと引き替えに預かり、このポイントと交換に新古品を必要とする業者に提供するシステムを構成したことによって、建築現場等において従来は廃棄されていた新古品を一時的に保管し、例えば他の業者が当該新古品を必要とする際、製品の型番／正式名称／俗称からの検索を容易にできると共に、当該新古品の提供をポイントとの交換に規制したことによって、例えば新古品のみの購入を行うことを防止し、新古品の市場流通を図ることができる。また前記ポイントを新古品の委託時だけでなく、新品購入時にもポイントを付与することによって、新古品を提供していない業者に対してもポイントを提供し、当該業者が新古品を購入することを促すこともできる。
【００４２】
【発明の効果】
以上述べた如く本発明による委託在庫システム及び委託在庫方法は、委託在庫を行う資材の商品コードと新品単価と新古品単価の情報を格納する商品データベースと、顧客コードに対応した積立ポイント及び償却ポイントの情報を格納するポイントデータベースとを用意し、前記商品データベースに格納した資材が新品単価で販売された場合、該新品単価と販売数量の乗算値に所定の新品購入ポイント率を乗算した値をポイントとして前記ポイントデータベースの積立ポイントに加算し、前記商品データベースに格納した資材が新古品として委託された場合、該新古品単価と委託数量の乗算値に所定の新古品委託ポイント率を乗算した値をポイントとして前記ポイントデータベースの積立ポイントに加算することにより業者からの新古品の提供すると共に業者にポイントを付与し、該業種により商品データベースに格納した資材が新古品販売として指定された場合、該新古品単価と提供数量の乗算値に所定の新古品提供ポイント率を乗算した値をポイントとして計数し、該計数した新古品提供ポイントが前記ポイントデータベースの積立ポイントから償却ポイントを除算した値を越えないとき、前記新古品提供ポイントを償却ポイントに加算すると共に、前記新古品資材の販売を指示することにより、従来は廃棄処理されていた新古品を市場に流通することができる。
【００４３】
更に本発明は、商品コードに対応した商品名及び該商品名に対応した俗称名の情報を格納する俗称データベースを用意し、俗称により商品検索が指示されたとき、該俗称をキーとして俗称データベースを検索し、ヒットした俗称に対応する商品コードをキーとして商品データベースを検索することにより、検索者が資材の正式名称や型番を知らない場合であっても、俗称を用いて資材の検索を行うことができる。
【００４４】
更に本発明は、前記商品データベースが資材の仕様を含み、サーバが商品データベースを検索した結果、指定された製造元又は型番の資材在庫が指定された数量に満たない場合、前記商品データベースを指定された資材の前記仕様をキーとして同一又は類似仕様の資材の商品コードを検索し、ヒットした資材を候補として表示することにより、在庫中に業者が指定した資材が不足する場合、同一又は類似仕様の資材を候補として表示し、選択を促すことができ、これにより新古品の流通を更に促進することができる。
【図面の簡単な説明】
【図１】本発明による委託在庫システム及び委託在庫方法の原理を説明するための図。
【図２】本発明の一実施形態による委託在庫システムの具体的システム構成を説明するための図。
【図３】本実施形態による商品データベースを説明するための図。
【図４】本実施形態による俗称データベースを説明するための図。
【図５】本実施形態によるメーカデータベースを説明するための図。
【図６】本実施形態による第１の顧客データベースを説明するための図。
【図７】本実施形態による第２の顧客データベースを説明するための図。
【図８】本実施形態によるポイントデータベースを説明するための図。
【図９】建築現場における資材の名称及び俗称の例を示す図。
【図１０】建築現場における資材の分類を説明するための図。
【図１１】本実施形態における動作フローチャート。
【図１２】本実施形態による処理手順における資材／ポイント／金銭の全体的な流れを示す図。
【符号の説明】
１：製造元、２：部品、２ａ：余剰部品、３：セット箱、４及び５：現場、６：ポイント、２０ａ〜２０ｃ：現場業者、２１：公衆通信回線網、３１：メーカコード、３２：商品コード、３３：型番、３４：サイズ、３５：新品単価、３６：新古単価、４２：正式名称、５２：メーカ名、６２：顧客パスワード、６３：顧客コード、６４：顧客名、７１：現場コード、７２：現場名、８２：積立ポイント、８３：償却ポイント、９１：大分類、９２：中分類、９３：小分類、９４：細分類、９６：商品、１００：委託在庫システム、１１０：管理サーバ、１１１：商品データベース、１１２：俗称データベース、１１３：メーカデータベース、１１４及び１１５：顧客データベース、１１６：ポイントデータベース。
【図１】
2005018145.tif 000003
【図２】
2005018145.tif 000004
【図３】
2005018145.tif 000005
【図４】
2005018145.tif 000006
【図５】
2005018145.tif 000007
【図６】
2005018145.tif 000008
【図７】
2005018145.tif 000009
【図８】
2005018145.tif 000010
【図９】
2005018145.tif 000011
【図１０】
2005018145.tif 000012
【図１１】
2005018145.tif 000013
【図１２】
2005018145.tif 000014